(57)【要約】【課題】複数の記憶処理装置を簡易に制御可能とする。【解決手段】コンテンツ再生システム１を構成する各ドッキングステーション２００は、自ドッキングステーションに接続されたＨＤＤレコーダ１００がアクティブ状態となるべきものとして選択された場合に、当該ＨＤＤレコーダ１００をアクティブ状態に設定し、当該ＨＤＤレコーダ１００に記憶されたコンテンツデータに対応する映像信号、右音声信号及び左音声信号をターミナル装置２０へ向けて送信させるようにして、再生等を可能とする。【選択図】図１
2011238322.tif 000002
【特許請求の範囲】
【請求項１】
コンテンツデータを記憶する記憶媒体を含む記憶処理装置を接続可能な接続装置であって、
他の接続装置と電気的に接続可能であり、
自接続装置に接続された前記記憶処理装置が起動状態となるべきものとして選択された場合に、自接続装置に接続している前記記憶処理装置内の記憶媒体に記憶された前記コンテンツデータを自接続装置又は前記他の接続装置のいずれかに接続される機器へ送信させる制御部を備える接続装置。
【請求項２】
前記制御部は、自接続装置に接続された前記記憶処理装置が起動状態となるべきものとして選択された場合に、前記他の接続装置に接続された前記記憶処理装置が非起動状態となることを要求する信号である非起動状態要求信号を前記他の接続装置に送信する請求項１に記載の接続装置。
【請求項３】
前記制御部は、自接続装置と他の機器との接続状態に応じて、自接続装置に接続された前記記憶処理装置が起動状態となるべきものとして選択された状態であるか、非起動状態となるべきものとして選択された状態であるかを判定する請求項１又は２に記載の接続装置。
【請求項４】
前記制御部は、前記隣接する他の接続装置に接続された前記記憶処理装置を前記起動状態に移行させることを要求する信号を前記隣接する他の接続装置へ送信する請求項１乃至３の何れかに記載の接続装置。
【請求項５】
前記制御部は、前記隣接する他の接続装置が存在しない場合に、他の接続装置に接続された前記記憶処理装置を前記非起動状態とするための信号であるリセット信号を他の接続装置へ送信する請求項４に記載の接続装置。
【請求項６】
前記制御部は、自接続装置に接続された前記記憶処理装置が非起動状態である場合に、自接続装置に接続している前記記憶処理装置を操作不能とする請求項１乃至５の何れかに記載の接続装置。
【発明の詳細な説明】
【技術分野】
【０００１】
本発明は、コンテンツデータを記憶する記憶媒体を含む記憶処理装置を接続可能な接続装置に関する。
【背景技術】
【０００２】
近年、ＨＤＤレコーダ等の記憶処理装置を接続する接続装置としてのドッキングステーションが用いられるようになっている。このようなドッキングステーションは、ＨＤＤレコーダ等に記憶されたコンテンツデータを外部へ送信したり、外部からのコンテンツデータを受信し、ＨＤＤレコーダ等に記憶させるためのインタフェースを提供する（例えば、特許文献１参照）。
【先行技術文献】
【特許文献】
【０００３】
【特許文献１】特表２００６−５２４８７７号公報
【発明の概要】
【発明が解決しようとする課題】
【０００４】
上述したＨＤＤレコーダ等に、大量且つ大容量のコンテンツデータを記憶させる場合、記憶容量を増やしたいという要望がある。しかし、単にＨＤＤレコーダ等の台数を増やすのみでは、以下のような問題が生じる。すなわち、利用者は、各ＨＤＤレコーダ毎に異なるリモートコントローラを操作する必要があり、煩雑である。また、ＨＤＤレコーダ等が近接して配置されると、利用者が、１のＨＤＤレコーダ等を作動させようとしてリモートコントローラを操作した場合に、操作信号を受信した他のＨＤＤレコーダ等も作動してしまう場合があり、実用的ではない。
【０００５】
上記問題点に鑑み、本発明は、複数の記憶処理装置を簡易に制御可能な接続装置を提供することを目的とする。
【課題を解決するための手段】
【０００６】
上述した課題を解決するために、本発明は以下のような特徴を有している。
【０００７】
本発明の第１の特徴は、コンテンツデータを記憶する記憶媒体（ハードディスク１０６）を含む記憶処理装置（ＨＤＤレコーダ１００）を接続可能な接続装置（ドッキングステーション２００）であって、他の接続装置と電気的に接続可能であり、自接続装置に接続された前記記憶処理装置が起動状態となるべきものとして選択された場合に、自接続装置に接続している前記記憶処理装置内の記憶媒体に記憶された前記コンテンツデータを自接続装置又は前記他の接続装置のいずれかに接続される機器へ送信させる制御部（制御部２０１）を備えることを要旨とする。
【０００８】
このような接続装置は、自接続装置に接続された記憶処理装置が起動状態となるべきものとして選択された場合に、自接続装置に接続された機器へコンテンツデータを送信させるようにして、再生等を可能とする。従って、複数の記憶処理装置を択一的に選択して簡易に制御できる。
【０００９】
本発明の第２の特徴は、前記制御部は、自接続装置に接続された前記記憶処理装置が起動状態となるべきものとして選択された場合に、前記他の接続装置に接続された前記記憶処理装置が非起動状態となることを要求する信号である非起動状態要求信号を前記他の接続装置に送信することを要旨とする。
【００１０】
本発明の第３の特徴は、前記制御部は、自接続装置と他の機器との接続状態に応じて、自接続装置に接続された前記記憶処理装置が起動状態となるべきものとして選択された状態であるか、非起動状態となるべきものとして選択された状態であるかを判定することを要旨とする。
【００１１】
本発明の第４の特徴は、前記制御部は、前記隣接する他の接続装置に接続された前記記憶処理装置を前記起動状態に移行させることを要求する信号を前記隣接する他の接続装置へ送信することを要旨とする。
【００１２】
本発明の第５の特徴は、前記制御部は、前記隣接する他の接続装置が存在しない場合に、他の接続装置に接続された前記記憶処理装置を前記非起動状態とするための信号であるリセット信号を他の接続装置へ送信することを要旨とする。
【００１３】
本発明の第６の特徴は、前記制御部は、自接続装置に接続された前記記憶処理装置が非起動状態である場合に、自接続装置に接続している前記記憶処理装置を操作不能とすることを要旨とする。
【発明の効果】
【００１４】
本発明によれば、複数の記憶処理装置を簡易に制御可能となる。
【図面の簡単な説明】
【００１５】
【図１】本発明の実施形態に係るコンテンツ再生システムの構成を示す図である。
【図２】本発明の実施形態に係るＨＤＤレコーダ及びドッキングステーションの構成図である。
【図３】本発明の実施形態に係るドッキングステーションの第１の動作を示すフローチャートである。
【図４】本発明の実施形態に係るドッキングステーションの第２の動作を示すフローチャートである。
【図５】本発明の実施形態に係るドッキングステーションの第３の動作を示すフローチャートである。
【図６】本発明の実施形態に係るドッキングステーションの第４の動作を示すフローチャートである。
【図７】本発明の実施形態に係るドッキングステーションの第５の動作を示すフローチャートである。
【発明を実施するための形態】
【００１６】
次に、図面を参照して、本発明の実施形態を説明する。具体的には、（１）コンテンツ再生システムの構成、（２）ＨＤＤレコーダ及びドッキングステーションの構成、（３）ドッキングステーションの動作、（４）作用・効果、（５）その他の実施形態について説明する。以下の実施形態における図面の記載において、同一又は類似の部分には同一又は類似の符号を付している。
【００１７】
（１）コンテンツ再生システムの構成
図１は、本発明の実施形態に係るコンテンツ再生システムの構成図である。
【００１８】
図１に示すように、コンテンツ再生システム１は、ディスプレイ１０と、ターミナル装置２０と、記憶処理装置としてのＨＤＤ（Hard Disk Drive）レコーダ１００−１、ＨＤＤレコーダ１００−２、ＨＤＤレコーダ１００−３（以下、これらをまとめて、適宜「ＨＤＤレコーダ１００」と称する）と、接続装置としてのドッキングステーション２００−１、ドッキングステーション２００−２、ドッキングステーション２００−３（以下、これらをまとめて、適宜「ドッキングステーション２００」と称する）とを有する。
【００１９】
ターミナル装置２０は、ＨＤＤレコーダ１００−１、ＨＤＤレコーダ１００−２及びＨＤＤレコーダ１００−３に記憶された映像データや音声データ等のコンテンツデータを再生し、ディスプレイ１０に映像の表示や音声の出力を行わせる。
【００２０】
ドッキングステーション２００−１は、ＨＤＤレコーダ１００−１を接続するとともに、通信ケーブル１５０を介して、ターミナル装置２０と電気的に接続される。ドッキングステーション２００−２は、ＨＤＤレコーダ１００−２を接続するとともに、ドッキングステーション２００−１と連結し、当該ドッキングステーション２００−１と電気的に接続される。ドッキングステーション２００−３は、ＨＤＤレコーダ１００−３を接続するとともに、ドッキングステーション２００−２と連結し、当該ドッキングステーション２００−２と電気的に接続される。ドッキングステーション２００の筐体には、例えば、図示しない連結機構が設けられており、当該連結機構によって、他のドッキングステーション２００と連結可能である。
【００２１】
（２）ＨＤＤレコーダ及びドッキングステーションの構成
図２は、ＨＤＤレコーダ１００及びドッキングステーション２００の構成図である。ＨＤＤレコーダ１００は、制御部１０２と、記憶装置装着部１０４と、記憶装置としてのハードディスク１０６とを有する。
【００２２】
制御部１０２は、例えばＣＰＵによって構成され、ＨＤＤレコーダ１００が具備する各種機能を制御する。記憶装置装着部１０４は、ハードディスク１０６を接続する。ハードディスク１０６は、映像データや音声データ等のコンテンツデータを記憶する。
【００２３】
ドッキングステーション２００は、制御部２０１と、リモートコントローラ受信部２０２と、直接選択ボタン２０４と、選択表示ＬＥＤ２０６と、スイッチ２０８、スイッチ２１０及びスイッチ２１２とを有する。また、ドッキングステーション２００は、電源のライン、グランド（ＧＮＤ）のライン、右音声信号のライン、左音声信号のライン、映像信号のライン、例えばプルダウン信号、プルアップ信号が伝送される制御ライン１及び２により、ターミナル装置２０や他のドッキングステーションと電気的に接続される。以下、これらのラインにおけるターミナル装置２０の側（前段側）を出力側と称し、ターミナル装置２０とは反対の側（後段側）を入力部と称する。
【００２４】
また、ドッキングステーション２００は、電源のライン、グランドのライン及び選択信号のラインにより、ＨＤＤレコーダ１００と電気的に接続される。
【００２５】
制御部２０１は、例えばＣＰＵによって構成され、ドッキングステーション２００が具備する各種機能を制御する。
【００２６】
リモートコントローラ受信部２０２は、利用者が図示しないリモートコントローラを操作することによって、当該リモートコントローラから送信される操作信号を受信する。リモートコントローラ受信部２０２は、受信した操作信号を制御部２０１へ出力する。
【００２７】
直接選択ボタン２０４は、利用者がドッキングステーション２００に接続されたＨＤＤレコーダ１００が起動状態（アクティブ状態）となるべきものとして選択する場合に、押下される。
【００２８】
選択表示ＬＥＤ２０６は、ドッキングステーション２００に接続されたＨＤＤレコーダ１００がアクティブ状態となるべきものとして選択された場合に点灯する。
【００２９】
制御部２０１は、直接選択ボタン２０４が押下された場合や、自ドッキングステーションがターミナル装置２０に隣接して接続されている場合、自ドッキングステーションにＨＤＤレコーダ１００が接続されているか否かを判定する。例えば、制御部２０１は、電源のラインを介して、ＨＤＤレコーダ１００に電源を供給している場合には、自ドッキングステーションにＨＤＤレコーダ１００が接続されていると判定する。ここで、制御部２０１は、ターミナル装置２０との間で所定の信号をやりとりすることで、自ドッキングステーションがターミナル装置２０に隣接して接続されているか否かを判定可能である。
【００３０】
自ドッキングステーションにＨＤＤレコーダ１００が接続されている場合、制御部２０１は、自ドッキングステーションに接続されたＨＤＤレコーダ１００をアクティブ状態に設定する。具体的には、制御部２０１は、自ドッキングステーションに接続されたＨＤＤレコーダ１００に対して、当該ＨＤＤレコーダ１００がアクティブ状態となるべきものとして選択されたことを示す制御信号である第１選択信号を送信する。ＨＤＤレコーダ１００内の制御部１０２は、第１選択信号を受信した場合、ＨＤＤレコーダ１００をアクティブ状態とする。ここで、アクティブ状態とは、ハードディスク１０６からコンテンツデータを読み出し可能な状態を意味する。
【００３１】
次に、制御部２０１は、制御ライン１及び制御ライン２を介して、他のドッキングステーションに対して、当該他のドッキングステーションが非アクティブ状態となることを要求する制御信号である非アクティブ状態要求信号を送信する。
【００３２】
次に、制御部２０１は、スイッチ２０８、スイッチ２１０及びスイッチ２１２をオンにする。これにより、ＨＤＤレコーダ１００内のハードディスク１０６に記憶されたコンテンツデータに対応する右音声信号、左音声信号及び映像信号がターミナル装置２０へ向けて送信される。
【００３３】
一方、他のドッキングステーションからの非アクティブ状態要求信号を受信した場合、制御部２０１は、自ドッキングステーションに接続されたＨＤＤレコーダ１００を非アクティブ状態に設定する。具体的には、制御部２０１は、自ドッキングステーションに接続されたＨＤＤレコーダ１００に対して、当該ＨＤＤレコーダ１００が非アクティブ状態となるべきものとして選択されたことを示す制御信号である第２選択信号を送信する。ＨＤＤレコーダ１００内の制御部１０２は、第２選択信号を受信した場合、ＨＤＤレコーダ１００を非アクティブ状態とする。更に、制御部２０１は、スイッチ２０８、スイッチ２１０及びスイッチ２１２をオフにする。ここで、非アクティブ状態とは、ハードディスク１０６に記憶されたコンテンツデータを読み出し不能な状態を意味する。
【００３４】
次に、制御部２０１は、非アクティブ状態要求信号の受信側とは反対の側の他のドッキングステーションへ非アクティブ状態要求信号を送信する。ここでは、前段側から制御ライン２を介して非アクティブ状態要求信号が受信された場合、制御部２０１は、制御ライン１を介して後段側へ非アクティブ状態要求信号を送信する。
【００３５】
次に、制御部２０１は、自ドッキングステーションに接続されたＨＤＤレコーダ１００を操作不能に設定する。具体的には、制御部２０１は、自ドッキングステーションに接続されたＨＤＤレコーダ１００に対して、当該ＨＤＤレコーダ１００を操作不能とする制御信号である第３選択信号を送信する。ＨＤＤレコーダ１００内の制御部１０２は、第３選択信号を受信した場合、ＨＤＤレコーダ１００を操作不能とする。ここで、操作不能とは、ＨＤＤレコーダ１００に設けられた図示しない操作ボタンが押下された場合や、図示しないリモートコントローラにより操作信号が送信された場合に、ＨＤＤレコーダ１００が何ら対応する処理を行わないことを意味する。
【００３６】
また、自ドッキングステーションに接続されたＨＤＤレコーダ１００がアクティブ状態である場合において、リモートコントローラ受信部２０２が図示しないリモートコントローラからの順送り信号を受信した場合、制御部２０１は、隣接する後段に他のドッキングステーションが存在するか否かを判定する。例えば、制御部２０１は、プルダウン信号のラインを介して後段に所定の信号を送信する。その後、当該所定に信号に対する応答の信号が受信されなかった場合、制御部２０１は、隣接する後段に他のドッキングステーションが存在しないと判定する。
【００３７】
隣接する後段に他のドッキングステーションが存在しない場合には、制御部２０１は、自ドッキングステーションに接続されたＨＤＤレコーダ１００を非アクティブ状態に設定する。更に、制御部２０１は、制御ライン１を介して、隣接する後段の他のドッキングステーションに対して、当該他のドッキングステーションがアクティブ状態となることを要求する制御信号であるアクティブ状態要求信号を送信する。次に、制御部２０１は、自ドッキングステーションに接続されたＨＤＤレコーダ１００を操作不能に設定する。
【００３８】
一方、隣接する後段に他のドッキングステーションが存在しない場合、換言すれば、自ドッキングステーションが最後段である場合、制御部２０１は、自ドッキングステーションに接続されたＨＤＤレコーダ１００を非アクティブ状態に設定する。更に、制御部２０１は、制御ライン２を介して、他のドッキングステーションに対して、当該他のドッキングステーションが非アクティブ状態となることを要求する制御信号であるリセット信号を送信する。
【００３９】
一方、隣接する前段の他のドッキングステーションからのアクティブ状態要求信号を受信した場合、制御部２０１は、自ドッキングステーションに接続されたＨＤＤレコーダ１００をアクティブ状態に設定する。また、他のドッキングステーションからのリセット信号を受信した場合、制御部２０１は、自ドッキングステーションに接続されたＨＤＤレコーダ１００を非アクティブ状態に設定する。
【００４０】
（３）ドッキングステーションの動作
図３は、ドッキングステーション２００の第１の動作を示すフローチャートである。
【００４１】
ステップＳ１０１において、ドッキングステーション２００の制御部２０１は、利用者によって直接選択ボタン２０４が押下されたか否かを判定する。直接選択ボタン２０４が押下された場合、ステップＳ１０２において、制御部２０１は、自ドッキングステーションにＨＤＤレコーダ１００が接続されているか否かを判定する。
【００４２】
自ドッキングステーションにＨＤＤレコーダ１００が接続されていない場合、一連の動作が終了する。一方、自ドッキングステーションにＨＤＤレコーダ１００が接続されている場合、ステップＳ１０３において、制御部２０１は、自ドッキングステーションに接続されたＨＤＤレコーダ１００をアクティブ状態に設定する。
【００４３】
ステップＳ１０４において、制御部２０１は、他のドッキングステーションに対して、非アクティブ状態要求信号を送信する。ステップＳ１０５において、制御部２０１は、スイッチ２０８、スイッチ２１０及びスイッチ２１２をオンにし、ＨＤＤレコーダ１００内のハードディスク１０６に記憶されたコンテンツデータに対応する右音声信号、左音声信号及び映像信号がターミナル装置２０へ向けて送信させる。
【００４４】
図４は、ドッキングステーション２００の第２の動作を示すフローチャートである。
【００４５】
ステップＳ２０１において、ドッキングステーション２００の制御部２０１は、他のドッキングステーションからの非アクティブ状態要求信号を受信したか否かを判定する。他のドッキングステーションからの非アクティブ状態要求信号を受信した場合、ステップＳ２０２において、制御部２０１は、自ドッキングステーションに接続されたＨＤＤレコーダ１００を非アクティブ状態に設定する。
【００４６】
ステップＳ２０３において、制御部２０１は、非アクティブ状態要求信号の受信側とは反対の側の他のドッキングステーションへ非アクティブ状態要求信号を送信する。ステップＳ２０４において、制御部２０１は、自ドッキングステーションに接続されたＨＤＤレコーダ１００を操作不能に設定する。
【００４７】
図５は、ドッキングステーション２００の第３の動作を示すフローチャートである。
【００４８】
ステップＳ３０１において、ドッキングステーション２００に接続されたＨＤＤレコーダ１００はアクティブ状態にある。ステップＳ３０２において、ドッキングステーション２００の制御部２０１は、リモートコントローラからの順送り信号を受信したか否かを判定する。
【００４９】
順送り信号が受信された場合、ステップＳ３０３において、制御部２０１は、隣接する後段に他のドッキングステーションが存在するか否かを判定する。
【００５０】
隣接する後段に他のドッキングステーションが存在する場合には、ステップＳ３０４において、制御部２０１は、自ドッキングステーションに接続されたＨＤＤレコーダ１００を非アクティブ状態に設定する。ステップＳ３０５において、制御部２０１は、隣接する後段の他のドッキングステーションに対して、アクティブ状態要求信号を送信する。
【００５１】
一方、隣接する後段に他のドッキングステーションが存在しない場合、ステップＳ３０６において、制御部２０１は、自ドッキングステーションに接続されたＨＤＤレコーダ１００を非アクティブ状態に設定する。ステップＳ３０７において、制御部２０１は、他のドッキングステーションに対して、リセット信号を送信する。
【００５２】
ステップＳ３０５におけるアクティブ状態要求信号の送信後、又は、ステップＳ３０７におけるリセット信号の送信後、ステップＳ３０８において、制御部２０１は、自ドッキングステーションに接続されたＨＤＤレコーダ１００を操作不能に設定する。
【００５３】
図６は、ドッキングステーション２００の第４の動作を示すフローチャートである。
【００５４】
ステップＳ４０１において、ドッキングステーション２００の制御部２０１は、隣接する前段の他のドッキングステーションからのアクティブ状態要求信号を受信したか否かを判定する。
【００５５】
隣接する前段のドッキングステーションからのアクティブ状態要求信号を受信した場合、ステップＳ４０２において、制御部２０１は、自ドッキングステーションにＨＤＤレコーダ１００が接続されているか否かを判定する。
【００５６】
自ドッキングステーションにＨＤＤレコーダ１００が接続されていない場合、一連の動作が終了する。一方、自ドッキングステーションにＨＤＤレコーダ１００が接続されている場合、ステップＳ４０３において、制御部２０１は、自ドッキングステーションに接続されたＨＤＤレコーダ１００をアクティブ状態に設定する。
【００５７】
図７は、ドッキングステーション２００の第５の動作を示すフローチャートである。
【００５８】
ステップＳ５０１において、ドッキングステーション２００の制御部２０１は、他のドッキングステーションからのリセット信号を受信したか否かを判定する。
【００５９】
他のドッキングステーションからのリセット信号を受信した場合、ステップＳ５０２において、制御部２０１は、自ドッキングステーションにＨＤＤレコーダ１００が接続されているか否かを判定する。
【００６０】
自ドッキングステーションにＨＤＤレコーダ１００が接続されていない場合、一連の動作が終了する。一方、自ドッキングステーションにＨＤＤレコーダ１００が接続されている場合、ステップＳ５０３において、ドッキングステーション２００が最初の１台か否か、すなわちターミナル装置２０に直接接続されたものか否かを判定する。自ドッキングステーションが最初の１台であるときには、ステップＳ５０４において、制御部２０１は、自ドッキングステーションに接続されたＨＤＤレコーダ１００をアクティブ状態に設定する。一方、自ドッキングステーションが最初の１台でないときには、ステップＳ５０５において、制御部２０１は、自ドッキングステーションに接続されたＨＤＤレコーダ１００を非アクティブ状態に設定する。
【００６１】
（４）作用・効果
本発明の実施形態において、コンテンツ再生システム１を構成する各ドッキングステーション２００は、自ドッキングステーションに接続されたＨＤＤレコーダ１００がアクティブ状態となるべきものとして選択された場合に、当該ＨＤＤレコーダ１００をアクティブ状態に設定し、当該ＨＤＤレコーダ１００内のハードディスク１０６に記憶されたコンテンツデータに対応する映像信号、右音声信号及び左音声信号をターミナル装置２０へ向けて送信させるようにして、再生等を可能とする。
【００６２】
更に、各ドッキングステーション２００内の制御部２０１は、自身に接続されたＨＤＤレコーダ１００がアクティブ状態となるべきものとして選択された場合に、他のドッキングステーションへ当該他のドッキングステーションに接続されたＨＤＤレコーダ１００が非アクティブ状態となることを要求する信号である非アクティブ状態要求信号を送信する。そして、他のドッキングステーションは、非アクティブ状態要求信号を受信した場合、自身に接続されたＨＤＤレコーダを非アクティブ状態に設定する。従って、複数のＨＤＤレコーダ１００を択一的に選択して簡易に制御できる。
【００６３】
また、各ドッキングステーション２００は、自身に接続されたＨＤＤレコーダ１００がアクティブ状態である場合に、リモートコントローラ受信部２０２により、隣接する他のドッキングステーションに接続されたＨＤＤレコーダ１００をアクティブ状態に移行させることを示す信号である順送り信号を受信すると、自身に接続されたＨＤＤレコーダ１００を非アクティブ状態に設定する。更に、ドッキングステーション２００は、隣接する後段のドッキングステーションが存在すれば、当該隣接する後段の他のドッキングステーションへアクティブ状態に移行させることを要求するアクティブ状態要求信号を送信する。そして、隣接する後段の他のドッキングステーションは、アクティブ状態要求信号を受信した場合、自身に接続されたＨＤＤレコーダをアクティブ状態に設定する。従って、複数のＨＤＤレコーダ１００を択一的に選択して簡易に制御できる。
【００６４】
一方、ドッキングステーション２００は、隣接する後段のドッキングステーションが存在しない場合には、自身に接続されたＨＤＤレコーダ１００を非アクティブ状態に設定するとともに、他のドッキングステーションへリセット信号を送信する。他のドッキングステーションは、リセット信号を受信した場合、自身に接続されたＨＤＤレコーダを非アクティブ状態に設定する。これにより、全てのＨＤＤレコーダ１００が非アクティブ状態（初期状態）となる。
【００６５】
また、ドッキングステーション２００は、自身に接続されたＨＤＤレコーダ１００が非アクティブ状態となった場合に、当該ＨＤＤレコーダ１００を操作不能に設定する。これにより、非アクティブ状態を確実に実現できる。
【００６６】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６７】
上述した実施形態では、スイッチ２０８、スイッチ２１０及びスイッチ２１２の動作によって、映像信号、右音声信号及び左音声信号のターミナル装置２０への送信を制御したが、他の手段により送信制御が行われるようにしてもよい。
【００６８】
上述した実施形態では、記憶処理装置として、ハードディスク１０６を内蔵するＨＤＤレコーダ１００を用いたが、記憶処理装置は、これに限定されない。例えば、ＳＳＤ（Solid State Drive）、フラッシュメモリ、ＳＤカード等の記憶媒体を内蔵する記憶処理装置が用いられてもよい。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７０】
１…コンテンツ再生システム、１０…ディスプレイ、２０…ターミナル装置、１００−１、１００−２、１００−３…ＨＤＤレコーダ、１０２…制御部、１０３…記憶装置装着部、１０４…ハードディスク、２００−１、２００−１、２００−３…ドッキングステーション、２０１…制御部、２０２…リモートコントローラ受信部、２０４…直接選択ボタン、２０６…選択表示ＬＥＤ
【図１】
2011238322.tif 000003
【図２】
2011238322.tif 000004
【図３】
2011238322.tif 000005
【図４】
2011238322.tif 000006
【図５】
2011238322.tif 000007
【図６】
2011238322.tif 000008
【図７】
2011238322.tif 000009